(57)【要約】      （修正有）【課題】ユーザによる生体情報の正確な把握を支援する生体情報表示装置を提供する。【解決手段】被検者の生体情報に対応する数値がディスプレイに表示される。プロセッサは、ディスプレイに表示される数値の有効桁数を変更する。数値は、整数部分と小数点以下部分を含んでいる。整数部分は、第一の大きさでディスプレイの第一領域１３ａに常に表示される。小数点以下部分は、ディスプレイの第二領域１３ｂに第一の大きさよりも小さい第二の大きさで表示されるか非表示とされることにより有効桁数が変更される。第一領域１３ａの位置と大きさは、小数点以下部分が表示されても変化しない。【選択図】図２
2019217139.tif 000002
【特許請求の範囲】
【請求項１】
被検者の生体情報に対応する数値が表示されるディスプレイと、
前記ディスプレイに表示される前記数値の有効桁数を変更するプロセッサと、
を備えており、
前記数値は、第一の桁と第二の桁を含んでおり、
前記第一の桁は、第一の大きさで前記ディスプレイの第一領域に常に表示され、
前記第二の桁は、前記ディスプレイの第二領域に前記第一の大きさよりも小さい第二の大きさで表示されるか非表示とされることにより前記有効桁数が変更され、
前記第一領域の位置と大きさは、前記第二の桁が表示されても変化しない、
生体情報表示装置。
【請求項２】
前記第二の桁は、前記数値が所定の範囲内にあるときに表示される、
請求項１に記載の生体情報表示装置。
【請求項３】
前記プロセッサは、前記数値に応じて前記第二の桁の色を変更する、
請求項１または２に記載の生体情報表示装置。
【請求項４】
被検者の生体情報を取得するステップと、
前記生体情報に対応する数値を表示するためのデータを出力するステップと、
前記数値の有効桁数を変更するステップと、
を含んでおり、
前記データは、
第一領域に前記数値の第一の桁が第一の大きさで常に表示され、
第二領域に前記数値の第二の桁が前記第一の大きさよりも小さい第二の大きさで表示されるか非表示とされることにより前記有効桁数が変更され、
前記第二の桁が表示されても前記第一領域の位置と大きさが変わらないように、
出力される、
生体情報出力方法。
【発明の詳細な説明】
【技術分野】
【０００１】
本発明は、被検者の生体情報を表示するための装置、および当該生体情報を出力する方法に関連する。
【背景技術】
【０００２】
特許文献１は、この種の装置を開示している。当該装置においては、様々な被検者の生体情報が、数値として表示される。一般に、表示される数値の有効桁数は、ほぼ全ての数値範囲において不変である。
【先行技術文献】
【特許文献】
【０００３】
【特許文献１】特開２０１５−１０７２２９号公報
【発明の概要】
【発明が解決しようとする課題】
【０００４】
生体情報について医療従事者などのユーザが認識したい数値の有効桁数は、被検者の容体あるいは数値範囲に応じて異なる。
【０００５】
本発明は、ユーザによる生体情報の正確な把握を支援することを目的とする。
【課題を解決するための手段】
【０００６】
上記の目的を達成するための一態様は、生体情報表示装置であって、
被検者の生体情報に対応する数値が表示されるディスプレイと、
前記ディスプレイに表示される前記数値の有効桁数を変更するプロセッサと、
を備えており、
前記数値は、第一の桁と第二の桁を含んでおり、
前記第一の桁は、第一の大きさで前記ディスプレイの第一領域に常に表示され、
前記第二の桁は、前記ディスプレイの第二領域に前記第一の大きさよりも小さい第二の大きさで表示されるか非表示とされることにより前記有効桁数が変更され、
前記第一領域の位置と大きさは、前記第二の桁が表示されても変化しない。
【０００７】
上記の目的を達成するための別態様は、生体情報出力方法であって、
被検者の生体情報を取得するステップと、
前記生体情報に対応する数値を表示するためのデータを出力するステップと、
前記数値の有効桁数を変更するステップと、
を含んでおり、
前記データは、
第一領域に前記数値の第一の桁が第一の大きさで常に表示され、
第二領域に前記数値の第二の桁が前記第一の大きさよりも小さい第二の大きさで表示されるか非表示とされることにより前記有効桁数が変更され、
前記第二の桁が表示されても前記第一領域の位置と大きさが変わらないように、
出力される。
【０００８】
上記の構成によれば、取得された生体情報の数値の第二の桁が表示されても当該数値の第一の桁が表示される第一領域の位置と大きさが変わらないので、第二の桁の表示と非表示が頻繁に切り替わるような事態においても、第一の桁の視認性低下を抑制できる。また、第二の桁が第一の桁よりも小さく表示されるので、第二の桁が表示される第二領域を相対的に小さくできる。したがって、第一の桁の視認性の低下を抑制できるだけでなく、第二の桁が表示されていない間も、ディスプレイの表示領域を有効に活用できる。結果として、ユーザによる生体情報の正確な把握を支援できる。
【図面の簡単な説明】
【０００９】
【図１】一実施形態に係るパルスオキシメータの機能構成を示している。
【図２】上記のパルスオキシメータのディスプレイにおける表示例を示している。
【図３】上記のパルスオキシメータにより行なわれる処理例を示している。
【図４】上記の表示例の利点を説明するための図である。
【発明を実施するための形態】
【００１０】
添付の図面を参照しつつ、実施形態の例を以下詳細に説明する。図１は、一実施形態に係るパルスオキシメータ１の機能構成を示している。
【００１１】
パルスオキシメータ１は、入力インターフェース１１、プロセッサ１２、ディスプレイ１３、およびバス１４を備えている。バス１４は、入力インターフェース１１、プロセッサ１２、およびディスプレイ１３の間で信号やデータのやり取りを可能にするように、これらの要素を相互に接続している。
【００１２】
不図示のプローブが被検者の指先や耳朶に装着される。プローブは、発光部と受光部を備えている。発光部は、赤色光と赤外光を出射する。受光部は、プローブの装着部位を透過または反射した赤色光と赤外光の光量に応じた信号を出力する。当該信号は、入力インターフェース１１に入力される。入力インターフェース１１は、プロセッサ１２が後述する処理を実行可能なデータへ当該信号を変換しうる適宜の回路構成を備えている。
【００１３】
プロセッサ１２は、入力インターフェース１１を通じて入力されたデータに基づいて、少なくとも被検者の経皮的動脈血酸素飽和度（ＳｐＯ２）を算出するように構成されている。ＳｐＯ２の算出手法自体は周知であるので、詳細な説明は省略する。ＳｐＯ２は生体情報の一例であり、ＳｐＯ２の算出は生体情報の取得の一例である。
【００１４】
ディスプレイ１３は、算出されたＳｐＯ２に対応する数値を表示する。すなわち、パルスオキシメータ１は生体情報表示装置の一例である。より具体的には、プロセッサ１２は、算出されたＳｐＯ２を数値としてディスプレイ１３に表示するためのデータを出力する。ディスプレイ１３は、プロセッサ１２から出力されたデータに基づいて数値の表示を行なう。
【００１５】
プロセッサ１２は、ディスプレイ１３に表示される数値の有効桁数を、算出されたＳｐＯ２に応じて変更可能に構成されている。図２の（Ａ）は、そのような数値の表示例を示している。数値の整数部分のみが表示される状態と、整数部分に加えて数値の小数点以下部分も表示される状態との間で切り替えが可能とされている。換言すると、数値の小数点以下部分が表示または非表示されることにより表示される数値の有効桁数が変更される。数値の整数部分は、第一の桁の一例である。数値の小数点以下部分は、第二の桁の一例である。
【００１６】
ディスプレイ１３は、第一領域１３ａと第二領域１３ｂを含んでいる。数値の整数部分は、第一領域１３ａに表示される。数値の小数点以下部分は、第二領域１３ｂに表示される。数値の小数点以下部分のフォントサイズは、数値の整数部分のフォントサイズよりも小さい。数値の整数部分のフォントサイズは、第一の大きさの一例である。数値の小数点以下部分のフォントサイズは、第二の大きさの一例である。
【００１７】
いずれの表示状態においても、数値の整数部分は第一領域１３ａに表示されている。換言すると、数値の整数部分は、常に第一領域１３ａに表示されている。また、数値の小数点以下部分が第二領域１３ｂに表示されても、第一領域１３ａの位置と大きさは変化しない。
【００１８】
このような構成の有利性を、図２の（Ｂ）と図２の（Ｃ）の各々に示される比較例を参照しつつ説明する。
【００１９】
図２の（Ｂ）に示される第一の比較例においても、有効桁数の変更はなされている。しかしながら、数値の小数点以下部分が表示されることにより、数値の整数部分のフォントサイズと位置が変化している。この場合、数値の小数点以下部分の表示と非表示が切り替えられる度に整数部分が変位して煩わしく、ユーザによる視認性の低下が避けられない。
【００２０】
図２の（Ｃ）に示される第二の比較例においても、有効桁数の変更はなされている。また、数値の小数点以下部分が表示されても、数値の整数部分の表示位置は変わらない。しかしながら、整数部分のフォントサイズと小数点以下部分のフォントサイズが一致している。この場合、小数点以下部分の表示領域を確保するために整数部分のフォントサイズを小さくする必要があり、整数部分の視認性が低下する。また、小数点以下部分の表示領域が相対的に大きくなるので、当該部分が表示されていない間、ディスプレイに大きな空白部分が生じる。したがって、表示領域を有効に活用できない。
【００２１】
各比較例との比較から明らかなように、数値の小数点以下部分が表示されても数値の整数部分が表示される第一領域１３ａの位置と大きさが変わらないので、小数点以下部分の表示と非表示が頻繁に切り替わるような事態においても、整数部分の視認性低下を抑制できる。また、小数点以下部分のフォントサイズが整数部分のフォントサイズよりも小さくされているので、小数点以下部分が表示される第二領域１３ｂを相対的に小さくできる。したがって、整数部分の視認性の低下を抑制できるだけでなく、小数点以下部分が表示されていない間も、ディスプレイ１３の表示領域を有効に活用できる。結果として、ユーザによるＳｐＯ２の数値の正確な把握を支援できる。
【００２２】
本実施形態においては、算出されたＳｐＯ２の数値が所定の数値範囲内である場合に、当該数値の小数点以下部分が第二領域１３ｂに表示される。具体的には、算出されたＳｐＯ２が９９％以上である場合に、数値の小数点以下部分が第二領域１３ｂに表示される。
【００２３】
図３は、このように構成されたパルスオキシメータ１の動作例を示している。まず、プロセッサ１２は、入力インターフェース１１を通じて入力されたデータに基づいて、被検者のＳｐＯ２を算出する（ＳＴＥＰ１）。
【００２４】
続いて、プロセッサ１２は、算出されたＳｐＯ２の数値の整数部分をディスプレイ１３の第一領域１３ａに表示させるためのデータを出力する。これにより、図２の（Ａ）に示されるように、数値の整数部分がディスプレイ１３の第一領域１３ａに表示される（ＳＴＥＰ２）。
【００２５】
続いて、プロセッサ１２は、算出されたＳｐＯ２の数値が９９％以上であるかを判断する（ＳＴＥＰ３）。数値が９９％未満であると判断された場合（ＳＴＥＰ３においてＮ）、処理はＳＴＥＰ１に戻り、新たなデータが入力インターフェース１１を通じて入力されるまで、数値の整数部分のみが第一領域１３ａに表示される状態が維持される。
【００２６】
数値が９９％以上であると判断された場合（ＳＴＥＰ３においてＹ）、プロセッサ１２は、算出されたＳｐＯ２の数値の小数点以下部分をディスプレイ１３の第二領域１３ｂに表示させるためのデータを出力する。これにより、図２の（Ａ）に示されるように、数値の整数部分に加えて、小数点以下部分がディスプレイ１３の第二領域１３ｂに表示される（ＳＴＥＰ４）。その後、処理はＳＴＥＰ１に戻り、上述の処理が繰り返される。
【００２７】
図４を参照しつつ、算出されたＳｐＯ２の数値が９９％以上である場合に表示される数値の有効桁数を増やすことの利点について説明する。
【００２８】
図４は、経皮的動脈血酸素飽和度（ＳｐＯ２）と動脈血酸素分圧（ＰａＯ２）の関係を示している。被検者の容体をより正確に反映するパラメータはＰａＯ２の方であるものの、当該パラメータの取得には侵襲的測定を伴う。したがって、医療従事者は、ＳｐＯ２の数値の確認を通じてＰａＯ２の数値を推測する。
【００２９】
しかしながら、図４から明らかなように、ＳｐＯ２とＰａＯ２の対応関係は非線形である。さらに、ＰａＯ２の値は、ＳｐＯ２が９９％を超えると急速に上昇する。算出されたＳｐＯ２の数値の整数部分だけしか表示されない場合（黒丸で示されるデータしか得られない場合）、９９％と１００％の間で大きく推移するＰａＯ２の値を推測することは困難である。
【００３０】
上記の構成によれば、算出されたＳｐＯ２の数値が９９％以上になると、当該数値の小数点以下部分も表示されるので、図４に白丸で示されるデータが表示に供される。したがって、医療従事者は、被検者のＰａＯ２の値をより正確に推測できる。
【００３１】
図３に破線で示されるように、プロセッサ１２は、算出されたＳｐＯ２の数値に応じて、ディスプレイ１３の第二領域１３ｂに表示される当該数値の小数点以下部分の色を変更してもよい（ＳＴＥＰ５）。例えばＳｐＯ２を１００％に到達させないように被検者を管理する必要がある場合において、ＳｐＯ２が１００％に近づくにつれて小数点以下部分の色が赤色に変化するように構成されうる。
【００３２】
このような構成によれば、小数点以下部分の正確な数値を認識せずとも、色の視認を通じて目標値までの裕度といった情報を把握できる。
【００３３】
これまでに説明したプロセッサ１２の機能は、メモリと協働して動作する汎用マイクロプロセッサにより実現されてもよいし、マイクロコントローラ、ＦＰＧＡ、ＡＳＩＣなどの専用集積回路によって実現されてもよい。
【００３４】
上記の実施形態は、本発明の理解を容易にするための例示にすぎない。上記の実施形態に係る構成は、本発明の趣旨を逸脱しなければ、適宜に変更・改良されうる。
【００３５】
上記の実施形態においては、算出されたＳｐＯ２の数値が所定の範囲内にあるときにディスプレイ１３に表示される数値の有効桁数を増やす変更がなされる。しかしながら、ユーザによる指示の入力に応じて有効桁数を増やす変更がなされてもよい。
【００３６】
上記の実施形態を参照して説明した構成は、被検者の容体や数値範囲に応じてユーザが認識したい数値の有効桁数が変わる適宜の生体情報に対して適用可能である。
【符号の説明】
【００３７】
１：パルスオキシメータ、１２：プロセッサ、１３：ディスプレイ、１３ａ：第一領域、１３ｂ：第二領域
【図１】
2019217139.tif 000003
【図２】
2019217139.tif 000004
【図３】
2019217139.tif 000005
【図４】
2019217139.tif 000006